(57)【要約】      （修正有）【課題】トルマリン鉱石・黒曜石のマイナスイオン及び遠赤外線を発生させる、電気配線、又は、エァーホース配管等を使用する方法。体内のソマチットを活動させて血液循環を良くし、マイナスイオンミネナル成分が入浴室内で充満して、呼吸等で内臓、又、肌に触れる事により、マイナスイオン発生装置によって、ソマチットの活動により、健康と美容に役立つ風呂の設備である。【解決手段】家庭風呂用マイナスイオンイオン発生装置は２０秒間で１万個以上のマイナスイオンが発生する。塩素の含まれた水道水での風呂が健康に良い方法に、解決でき天然温泉同様の効能効果が家庭、又は、ホテルに使用が出来、又、簡単にコンパクトでメンテナスが少なく、岩塩又は、温泉漢方薬の補給が出来る。ブクブクマイナスイオン発生装置で、免疫力を高め健康な体力で生体防御を家庭で行うことが出来る。【選択図】図５
2010158494.tif 000002
【特許請求の範囲】
【請求項１】
人間は癌（ガン）病気にどうしてなるのか？病気を予防する方法、又、家庭で入浴を楽しみながら（ソマチット）に（エサ）を与えて（ソマチット）を元気にする事により免疫を高める、マイナスイオン発生装置の開発である。
人間の体は、約６５個の原子から成り立っているのです。胃・腸・内臓・骨・皮膚・細胞等です。その（細胞）が原子から成り立っているのです。
原子核の真ん中にプラス電気。外側の電子が、マイナス電気である。
人間の体内に細胞の数が（約６０兆）以上有ると言われています。その（ソマチット）は細胞の何十倍〜何千倍も存在する超微小生体です。
文明の変化により、環境の悪化・食料の悪化等で（ソマチット）の活動が悪化して病人が増加していく時代と共に医療費の負担が増加している現況です。
【請求項２】
家庭用又は、ホテル用の風呂の中に、今回開発した強力マイナスイオンの発生装置を設置し、エアーの圧力を使用し電気鉱石成分からマイナスイオンを発生させ、入浴湯と混合（中和）する装置である。
ソマチットは（自由電位・マイナスイオン）が大好きです。マイナスイオンはソマチットの活動と活性化に最適な（エサ）になるのです。
円筒又は（容器の型には、こだわらず）その容器にトルマリン鉱石と黒曜石（電気鉱石）等を混合し容器の中でマイナスイオンを発生させて、蛇口からの水圧力及び湯圧力でマイナスイオンの湯となる装置、又、エアーポンプからの空気圧を持ちえてマイナスイオンを発生させ、湯と中和して身体に与える開発である。
【請求項３】
長野県和田峠産の黒曜石を長年研究した結果、黒曜石とトルマリン鉱石及び、リンサンエン鉱物を混合し、イオンボールを開発した、他には無い強力マイナスイオンボールの作成が出来、人体に良いイオン成分が出来たのです。
秋田県の多摩川温泉（北投石）以上のマイナスイオンが発生出来る黒曜石イオンボールが開発されたのです、黒曜石イオンボールから出るマイナスイオンは、１ボール（Φ１０ｍｍ）当り２７００個１ＣＣ（株式会社佐藤商事形式ＣＯＭ−３０１０ＰＲＯ使用）の測定器から出ています。
今回開発された容器からは、上記の佐藤会社の測定で２０秒間に１ｃｍ３から１０．０００個以上のマイナスイオンが半永久的に持続します。
今回の開発により、コンパクトで湯壷の中に取り付け方法が簡単に出来、家庭用のお風呂が温泉気分で使用が出来る、マイナスイオン効果により、（ソマチット）が活性化する画期的な、美と健康に最適な開発です。
【発明の詳細な説明】
【技術分野】
【背景技術】
【０００１】  本発明は、お風呂の湯を入れる蛇口からの湯の圧力とエアーポンプからの空気圧を利用して効果的なマイナスイオンを発生させる事が出来る装置である。【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているが鉱石の量が小量で圧力が出る装置等があっても湯壷の湯を巡回している為、器具の中が不衛生（黴菌）等が発生する、湯壷の中に置くだけではマイナスイオンの発生が不可能と身体から搬出されたアカ等で器具の中が不衛生である。
【発明の開示】
【発明が解決しようとする課題】
【０００３】  ２１世紀の美と健康は、ソマチットを活性化させるマイナスイオン（エサ）を与えて、ソマチットを活性化する時代です。人間の体は、６５個の原子から成り立っていると言われています。世の中の全ての物は、１０３個の原子から成り立っていると言われています。原子とは？水は２個の原子（Ｈ２Ｏ）水素と酸素。人体は、胃・腸・内臓・骨・皮膚・それを小さくすると（細胞）になります。細胞が人間の原子から成り立っているのです。【０００４】  細胞の真ん中に原子核があります。原子核がプラス電気です。
細胞の外側の電子が、マイナス電子（マイナス電気）です。【０００５】  人体の新しい、細胞を分離し作るものが（ソマチット）活力です。
ソマチットの（エサ）になるのが（自由電子・マイナスイオン）です・その重要なマイナスイオンが家庭の浴槽の中で発生できる画期的な開発装置です。【０００６】  人間の体内に細胞の数が（６０兆）、そのソマチットは細胞の何十倍〜何千倍も存在する超微小生体です。【０００７】  マイナスイオンは森林浴（滝壺）近辺に多く発生していますが、毎日家中で行く事は不可能です。
ブクブクマイナスイオン発生装置は、トルマリン鉱石×黒曜石×鉱山鉱石の組み合わせにより（図面５）２２マイナスイオン鉱石測定器数値（１ｃｍ３）から２０秒間に１万個以上のマイナスイオンが半永久持続する装置です。【０００８】  ソマチットは赤血球の近辺をチラチラと活動している超微小生体で大きさは（８０ナノメートル）である。普通の光学顕微鏡では発見できないほど超微小生体である。ソマチットをマイナスイオン水に入れると自然にソマチットが活動する事が発見できたのです。【０００９】  ブクブクマイナスイオン発生装置で５年間２００世帯の体験者の結果病気又は高原病その他の難病が解消されたのです。当社の体験結果。【００１０】  本発明はこのような従来の問題点に着目してなされたものであり、一般の湯壷、又はホテルの湯壷で強力マイナスイオン発生装置を持ち得る事により、又、蛇口からの湯の圧力でマイナスイオンが発生する、湯の流れで容器の中が何時も清潔である。人体に大切な（ソマチット）を元気つけるマイナスイオンが湯壺及び浴室内が充満し、皮膚・及び深呼吸により体内（内臓）が活性化できる。
【課題を解決するための手段】
【００１１】  上記目的を達成するために、本発明により塩素の含まれた水道水、又人体に与える有害水等を自動的にマイナスイオン・遠赤外線・抗菌作用を発生させて身体に良い湯に変える事が出来る装置を長年の研究と実験で実証が出来た。
トルマリン風呂・サウナ・岩盤浴関係等の温水を自動的に湯壷の中で作成が出来、温熱効果の良い温水風呂に変化する事が出来る小型化装置である。
エアー式・循環式等は電気を要するので、浴室には漏電問題とホース配線設置が容易である。その問題点を今回の開発で解決が出来ました。【００１２】  一般家庭、ホテル用の風呂の場合１５蛇口に特殊強力マイナスイオン発生器を連携した１６ホースを１７に取り付ける。
１１湯入り口、配管より、４強力マイナスイオン発生セラミックスボールに湯が接触して７中間パイプに入る。中間パイプの中にトルマリン鉱石・黒曜石。
その他の鉱石等が配合してあり、湯の圧力でマイナスイオンの発生を増加し・・、
５の噴出し口より、外周のトルマリン鉱石・黒曜石・他の鉱石等に湯の噴出し圧力が架わり、マイナスイオン湯となって出る装置である。
又、健康に良い自然鉱石特有のソマチットの活性化に良いイオンが発生します。
長野県和田峠産黒曜石を利用した黒曜石とトルマリン鉱石及びリンサンエン鉱物を粉末ミックスに作成して、９００度から１０００度、以下でセラミックスボール４強力特殊マイナスイオンボールを作成し、１４籠に（図面２のように特殊マイナスイオンボールを設置する。又、（図面２）（図面３）のように強力特殊マイナスイオンボールを（図面３）、断面図のようにセットして、湯の噴出し圧力でマイナスイオンが発生続ける装置です。図面５、写真図は完成商品図です。
【発明の効果】
【００１３】  トルマリン鉱石は人体に効能効果がある薬石として世間で数多くの色々な方法で使用されている鉱石である。特にトルマリン鉱石を飲料水に多く使用されている、その鉱石をお風呂に使用する事により身体全体の活性化が出来る。
黒曜石は昔から健康水として黒曜石を色々な方法で加工されて使用している。
特許出願者荻原大が開発した数多くのサウナ関係及び岩盤浴関係に関して黒曜石を使用した事は、類の無い初期開発である。【００１４】岩塩を一緒に湯壷に搬入すると、マイナスイオン水で効能効果が高まる、岩塩は昔から健康摩擦療法に使用されている。ボイラー製造素材に塩分に強いボイラーを使用する事を条件とする。体験実験では年月が掛かるのでボイラーの耐久性結果は出ていない。
【発明を実施するための最良の形態】
【００１５】  使用する黒曜石は産地として有名な長野県和田峠産であり、その成分含有率の一例を表１に示す。
【表１】
2010158494.tif 000003
【表２】
2010158494.tif 000004
上記の鉱石で長年実験と体験場（当社）岩盤浴１０万人の入浴者の結果と要望で発案された家庭用及びホテル用でソマチット活性化ブクブクイオン発生装置は半永久的マイナスイオンが発生持続し、メンテナスが  ０円で使用が出来るコンパクトな装置である。【００１６】  （図面１）は全体の断面図マイナスイオン発生する本体である。家庭用風呂又は、ホテル湯壷の中に入れて置く事によりマイナスイオンが発生できる装置である。本体の中に９黒曜石及び、８トルマリン鉱石等を詰めて（図面１）断面図（７中間）パイプの中筒に無数の５穴を開けて湯の噴出し圧力を加え、又、湯の圧力を平均化して噴出させる事が出来る、マイナスイオンを発生する本体の装置である。【００１７】  ［図２］は特殊強力マイナスイオン発生イオンボールをパッチング盤の中に６外側のリングと７中側リング  を固定したところに（図面２）強力マイナスイオン発生ボーを詰めた本体の上下１４のように取り付ける装置である。
【図面の簡単な説明】
【００１８】
【図１】マイナスイオン発生装置の  断面図。
【図２】特殊マイナスイオン発生ボール配置  平面図。
【図３】（図２）の  断面図。
【図４】マイナスイオン発生容器を取り付けした湯壺の断面図
【図５】ブクブクマイナスイオン発生装置の写真
【符号の説明】
【００１９】１．穴あきの上蓋  （パッチング板）。
２．外周の筒      （パッチング板）。
３．矢印・・湯又は、水の噴出し方向。
４．強力マイナスイオン発生鉱石イオンボール。
５．湯の噴出し穴。
６．外周筒、（パッチング板）。
７．中間の筒、湯噴出し穴を開ける。
８．トルマリン鉱石。
９．黒曜石。
１０．パッチング籠。
１１．湯・・送り口  （パイプ）。
１２．湯・・噴出し口。
１３．つり金具取り付け輪。
１４．マイナスイオン発生ポール入れる籠。
１５．蛇口、湯又は水道の出口。
１６．ホース。
１７．ホース取り付け、ネジ、（バンド金具）。
１８．湯船。
１９．エアーポンプ。
２０．電源コード。
２１．エアーホース。
２２．マイナスイオン鉱石測定器。
【図１】
2010158494.tif 000005
【図２】
2010158494.tif 000006
【図３】
2010158494.tif 000007
【図４】
2010158494.tif 000008
【図５】
2010158494.tif 000009